(57)【要約】      （修正有）【課題】船舶の推進ユニットにおいて冷却効率の良い冷却システムを提供する。【解決手段】液体を含む内部空間１０を有する密閉液体冷却システム９を備える船の推進ユニットにおいて、内部空間１０は、モータハウジングセクション６の円筒状セクション７に配置される電気モータ３及び内部空間１０の液体の間で熱エネルギーを交換するため、推進ユニットのモータハウジングの円筒状セクション７の円筒状外面８によって部分的に限定される。密閉液体冷却システム９の内部空間１０は、内部空間１０の液体が、推進ユニットのシェル構造１を介して、内部空間１０の液体及び推進ユニットを囲う水の間で熱エネルギーを交換するため、推進ユニットのシェル構造１と直接的に接触するように、推進ユニットのシェル構造１により部分的に限定される。【選択図】図１
2015016857.tif 000002
【特許請求の範囲】
【請求項１】
少なくとも一部が水によって囲われるように、船の船体（２）の下方に、少なくとも一部が水中に浸水可能に配置されるシェル構造（１）と、
前記シェル構造（１）の外側でプロペラ（２３）を回転するための電気モータ（３）と、
を備え、
前記電気モータ（３）は、固定子及び前記固定子（４）により回転する回転子（５）を有し、
前記電気モータ（３）は、前記電気モータ（３）の前記固定子（４）が前記シェル構造（１）のモータハウジングセクション（６）の円筒状セクション（７）の中に形状が適合するように、前記シェル構造（１）の前記モータハウジングセクション（６）に配置され、
前記円筒状セクション（７）は、円筒状外面（８）を有し、そして、
前記シェル構造（１）は、前記シェル構造（１）の前記モータハウジングセクション（６）に接続される下端及び前記船の前記船体（２）に接続される上端を有する支持セクションを含む、船のアジマス推進ユニットのような船の推進ユニットであって、
密閉液体冷却システム（９）は、液体を含む内部空間（１０）を有し、
前記密閉液体冷却システム（９）の前記内部空間（１０）は、前記密閉液体冷却システム（９）の前記内部空間（１０）の液体が、前記モータハウジングセクション（６）の前記円筒状セクション（７）を介して前記モータハウジングセクション（６）の前記円筒状セクション（７）に配置される前記電気モータ（３）及び前記密閉液体冷却システム（９）の前記内部空間の液体との間で熱エネルギーを交換するため、前記モータハウジングセクション（６）の前記円筒状セクション（７）の前記円筒状外面（８）と直接的に接触するように、前記モータハウジングセクション（６）の前記円筒状セクション（７）の前記円筒状外面（８）によって部分的に限定され、そして、
前記密閉液体冷却システム（９）の前記内部空間（１０）は、前記密閉液体冷却システム（９）の前記内部空間（１０）の液体が、前記推進ユニットの前記シェル構造（１）を介して、前記密閉液体冷却システム（９）の前記内部空間の液体及び前記推進ユニットを囲う水との間で熱エネルギーを交換するため、前記推進ユニットの前記シェル構造（１）と直接的に接触するように、前記推進ユニットの前記シェル構造（１）によって部分的に限定される、
ことを特徴とする推進ユニット。
【請求項２】
前記密閉液体冷却システム（９）は、液体を含む前記内部空間（１０）を形成する密閉液体タンク（１２）の形状であり、
前記密閉液体タンク（１２）の前記内部空間（１０）は、前記密閉液体タンク（１２）の前記内部空間の液体が、前記電気モータ（３）及び前記密閉液体タンク（１２）の前記内部空間の液体の間の前記モータハウジングセクション（６）の前記円筒状セクション（７）の一部（１３）を介して、前記モータハウジングセクション（６）の前記円筒状セクション（７）に配置される前記電気モータ（３）及び前記密閉液体タンク（１２）の前記内部空間（１０）の液体の間で熱エネルギーを交換するため、前記モータハウジングセクション（６）の前記円筒状セクション（７）の前記円筒状外面（８）の前記一部（１３）と直接的に接触するように、前記モータハウジングセクション（６）の前記円筒状セクション（７）の前記円筒状外面（８）の前記一部により部分的に限定され、そして、
前記密閉液体タンク（１２）の前記内部空間（１０）は、前記密閉液体タンク（１２）の前記内部空間（１０）の液体が、前記シェル構造（１）を介して、前記密閉液体タンク（１２）の前記内部空間（１０）の液体及び前記シェル構造（１）を囲う水の間で熱エネルギーを交換するため、前記シェル構造（１）と直接的に接触するように、前記推進ユニットの前記シェル構造（１）により限定される、
ことを特徴とする請求項１に記載の推進ユニット。
【請求項３】
前記密閉液体冷却システム（９）は、液体を含む前記内部空間（１０）を有する密閉液体循環冷却システム（１４）の形状であり、且つ、前記密閉液体循環冷却システム（１４）の前記内部空間（１０）の液体を循環する液体循環手段（１５）を備え、
前記密閉液体循環冷却システム（１４）の前記内部空間（１０）は、前記密閉液体循環冷却システム（１４）の前記内部空間（１０）を流れる液体が、前記電気モータ（３）及び前記密閉液体循環冷却システム（１４）の前記内部空間（１０）を循環する液体の間の前記モータハウジングセクション（６）の前記円筒状セクション（７）の一部（１３）を介して、前記モータハウジングセクション（６）の前記円筒状セクション（７）に配置される前記電気モータ（３）及び前記密閉液体循環冷却システム（１４）の前記内部空間（１０）を流れる液体の間で熱エネルギーを交換するため、前記モータハウジングセクション（６）の前記円筒状セクション（７）の前記円筒状外面（８）の前記一部と直接的に接触するように、前記モータハウジングセクション（６）の前記円筒状セクション（７）の前記円筒状外面（８）の前記一部（１３）により限定され、そして、
前記密閉液体循環冷却システム（１４）の前記内部空間（１０）は、前記密閉液体循環冷却システム（１４）の前記内部空間（１０）を流れる液体が、前記シェル構造（１）の前記支持セクション（２６）を介して、前記密閉循環冷却システム（１４）の前記内部空間を流れる液体及び前記シェル構造（１）の前記支持セクション（２６）を囲う水の間で熱エネルギーを交換するため、前記シェル構造（１）の前記支持セクション（２６）と直接的に接触するように、さらに、前記推進ユニットの前記シェル構造（１）の前記支持セクション（２６）によって部分的に限定される、
ことを特徴とする請求項１に記載の推進ユニット。
【請求項４】
前記密閉液体循環冷却システム（１４）の前記内部空間（１０）の液体と接触する前記モータハウジングセクション（６）の前記円筒状セクション（７）の前記円筒状外面（８）の前記一部（１３）は、前記モータハウジングセクション（６）の前記円筒状セクション（７）の前記円筒状外面（８）の前記一部（１３）に沿って液体の複数の個々の流れを発生するためのパーティション要素（１６）を備えることを特徴とする請求項３に記載の推進ユニット。
【請求項５】
前記密閉液体循環冷却システム（１４）は、前記密閉液体循環冷却システム（１４）の前記内部空間（１０）が前記モータハウジングセクション（６）の前記円筒状セクション（７）の前記円筒状外面（８）の前記一部（１３）により部分的に限定される前記密閉液体循環冷却システム（１４）のある点に第１液体タンク（１７）を備え、
前記第１液体タンク（１７）は、前記密閉液体循環冷却システム（１４）の前記内部空間（１０）の一部を形成する第１内部空間を有し、
前記第１液体タンク（１７）は、前記密閉液体循環冷却システム（１４）を流れる液体が、前記第１液体タンク（１７）の前記第１内部空間を通って流れるように、前記密閉液体循環冷却システム（１４）と流体的に連絡し、そして、
前記第１液体タンク（１７）の前記第１内部空間は、前記第１液体タンク（１７）の第１内部空間が、前記モータハウジングセクション（６）の前記円筒状セクション（７）の前記円筒状外面（８）の前記一部を介して、前記モータハウジングセクション（６）に配置される前記電気モータ（３）及び前記第１液体タンク（１７）の前記第１内部空間を流れる液体の間で熱エネルギーを交換するため、前記モータハウジングセクション（６）の前記円筒状セクション（７）の前記円筒状外面（８）と直接的に接触するように、前記モータハウジングセクション（６）の前記円筒状セクション（７）の前記円筒状外面（８）の前記一部によって部分的に限定される、
ことを特徴とする請求項３又は請求項４に記載の推進ユニット。
【請求項６】
前記第１液体タンク（１７）は、前記第１液体タンク（１７）の前記第１内部空間の液体が、前記シェル構造（１）の前記支持構造（２６）を介して、前記密閉液体循環冷却システム（１４）の前記第１液体タンク（１７）の前記第１内部空間を流れる液体及び前記シェル構造（１）の前記支持構造（２６）を囲う水の間で熱エネルギーを交換するため、前記シェル構造（１）の前記支持構造（２６）とさらに直接的に接触するように、前記シェル構造（１）の前記支持構造（２６）によってさらに部分的に限定されることを特徴とする請求項５に記載の推進ユニット。
【請求項７】
前記密閉液体循環冷却システム（１４）は、第２液体タンク（１９）が前記シェル構造（１）の前記支持セクション（２６）によって部分的に限定されるように、前記密閉液体循環冷却システム（１４）が前記シェル構造（１）の前記支持セクション（２６）によって部分的に限定される前記密閉液体循環冷却システム（１４）のある点で前記第２液体タンク（１９）を備え、
前記第２液体タンク（１９）は、前記密閉液体循環冷却システム（１４）の前記内部空間（１０）の一部を形成する第２内部空間を有し、
前記第２液体タンク（１９）は、前記密閉液体循環冷却システム（１４）を流れる液体が前記第２液体タンク（１９）の前記第２内部空間を通って流れるように、前記密閉液体循環冷却システム（１４）と流体的に連絡され、そして、
前記第２液体タンク（１９）は、前記第２液体タンク（１９）の前記第２内部空間の液体が、前記シェル構造（１）の前記支持セクション（２６）を介して、前記第２液体タンク（１９）の前記第２内部空間を流れる液体及び前記シェル構造（１）の前記支持セクション（２６）を囲う水の間で熱エネルギーを交換するよう、前記シェル構造（１）の前記支持セクション（２６）と直接的に接触するように、前記シェル構造（１）の前記支持セクション（２６）によって部分的に限定される、
ことを特徴とする請求項３乃至請求項６のいずれか一項に記載の推進ユニット。
【請求項８】
前記シェル構造（１）の前記支持セクション（２６）は、キャビティ（２５）を備え、前記キャビティ（２５）は、前記シェル構造（１）を囲う水が前記キャビティ（２５）に入り、且つ、前記キャビティから出ることを許可するために、前記シェル構造（１）を囲う水と流体的に連絡し、
前記密閉液体循環冷却システム（１４）は、チューブセクション（２９）を備え、
前記密閉液体循環冷却システム（１４）の前記内部空間は、前記チューブセクション（２９）により部分的に限定され、そして、
前記チューブセクション（２９）は、前記チューブセクションの外面が前記キャビティ（２５）で前記シェル構造（１）を囲う水と直接的に接触するように、前記キャビティ（２５）に配置される、
ことを特徴とする請求項３乃至請求項７のいずれか一項に記載の推進ユニット。
【請求項９】
前記チューブセクション（２９）は、前記密閉液体循環冷却システム（１４）の前記内部空間（１０）の液体及び前記シェル構造（１）を囲う水の間で熱エネルギーを交換するための液体−液体熱交換器の一部であり、そして、
前記液体−液体熱交換器は前記キャビティ（２５）に配置される、
ことを特徴とする請求項８に記載の推進ユニット。
【請求項１０】
前記キャビティ（２５）は、前記シェル構造（１）の一部を形成する少なくとも一つのカバー（２７）により少なくとも部分的に密閉されることを特徴とする請求項８又は請求項９に記載の推進ユニット。
【請求項１１】
前記シェル構造（１）の前記支持セクション（２６）の下端は、前記推進ユニットの前記シェル構造（１）の前記モータハウジングセクション（６）の前記円筒状セクション（７）の前記円筒状外面（８）が前記推進ユニットの最外面を部分的に形成するように、前記シェル構造（１）の前記モータハウジングセクション（６）に接続されることを特徴とする請求項１乃至請求項１０のいずれか一項に記載の推進ユニット。
【請求項１２】
前記推進ユニットの前記最外面を形成する前記モータハウジングセクションの前記円筒状セクション（７）の前記円筒状外面（８）の前記一部は、前記モータハウジングセクション（６）の前記電気モータ（３）及び前記推進ユニットの前記最外面を形成する前記モータハウジングセクション（６）の前記円筒状セクション（７）の前記円筒状外面（８）の前記一部を囲う水の間の熱エネルギーの移動を増加するための、突出熱交換要素（２０）を備えることを特徴とする請求項１１に記載の推進ユニット。
【請求項１３】
前記モータハウジングセクション（６）の前記円筒状セクション（７）はシングルレイヤー構造であることを特徴とする請求項１乃至請求項１２のいずれか一項に記載の推進ユニット。
【請求項１４】
前記密閉液体冷却システム（９）の液体と接触する前記モータハウジングセクション（６）の前記円筒状外面（８）の前記円筒状セクション（７）の一部は、前記モータハウジングセクション（６）の前記電気モータ（３）及び前記密閉液体冷却システム（９）の液体の間の熱エネルギーの移動を増加するための突出熱交換要素（２１）を備えることを特徴とする請求項１乃至請求項１３のいずれか一項に記載の推進ユニット。
【請求項１５】
前記密閉液体冷却システム（９）は、前記推進ユニットの前記シェル構造（１）によって完全に囲われて配置されることを特徴とする請求項１乃至請求項１４のいずれか一項に記載の推進ユニット。
【請求項１６】
前記電気モータ（３）は、永久磁石電気モータ（３）であることを特徴とする請求項１乃至請求項１５のいずれか一項に記載の推進ユニット。
【発明の詳細な説明】
【技術分野】
【０００１】
本発明は、独立請求項１の前文に定義される船の推進ユニットに関する。
【０００２】
本発明は、ＵＳ  ５，４０３，２１６に示されるように、アジマス推進ユニット等の船の推進ユニットに関する。
【背景技術】
【０００３】
ＵＳ  ６，３１２，２９８  Ｂ１は、船用のプロペラモータの改良形状の電動駆動システムを示しており、単純な手段のモータの冷却が提供されている。循環する冷却液の再冷却のために、その壁にシャフト状の支持部の内部に配置される環状ダクトが設けられる。この支持部の補助により、プロペラモータは、ゴンドラのように、船の下方側に配置される。
【０００４】
ＵＳ  ６，４８５，３３９  Ｂ１は、電気推進ポッドヒートリジェクションメンバーを有する船用の電気推進ポッドを示す。この電気推進ポッドは、中空のシップアクセスシャフトによって船の下方に取り付けられる。電気推進ポッドは、水推進力を発生させる電気モータを含む。電気モータは、電気推進ポッド及びシップアクセスシャフトの表面を通って水中に導かれ、そして、その後、放出される熱量が生じる。ヒートリジェクションメンバーは、電気モータ熱の案内及びその後の放出が増加するように適合される。
【０００５】
ＵＳ  ７，１８６，１５６  Ｂ１は、推進力を提供するために配置される電気モータ、及び、モータを包含して配置されるハウジングを備える水上船が推進するための推進ユニットを示す。ハウジングの内部は、その中で維持される冷却ガスの冷却効果を増加させるために、約２ｂａｒ以上の増加圧力が維持される。ハウジングの端部領域は、その上を通過する冷却ガスを冷却するために配置される熱交換機構を備えている。使用時に、ハウジングを囲む水がそこから熱を吸収するように、熱交換機構は、ハウジングと結合される。
【０００６】
ＷＯ  ０１５４９７３は、船用の推進ユニットの配置を示す。その配置は、モータシャフトに配置されるプロペラのみならず、水中に配置され、そして、モータ及びそれに関連する幾つかの制御手段を具備するモータハウジングを備えるモータユニットを含む。前記モータユニットは、冷却が、前記ユニットを包囲する水の中で、モータのケーシング構造を通って直接的に、モータの全周囲の表面を介して生ずるために配置されるための電気モータを備える。
【発明の概要】
【０００７】
発明の目的
本発明の目的は、船の推進ユニットの効率のよい冷却を提供することにある。
【０００８】
発明の簡単な説明
本発明の船の推進ユニットは、独立請求項１の定義によって特徴付けられる。
【０００９】
船の推進ユニットの好ましい実施形態は、従属請求項に定義される。
【００１０】
ここで「密閉」とは、この関係において、例えば、推進ユニットが水に少なくとも部分的に浸されるときに推進ユニットを囲う水が、密閉液体冷却システムの中に移動されず、また、推進ユニットが少なくとも部分的に水に浸されるときに、推進ユニットを囲う水の中に密閉液体冷却システムから吐出される液体もない、という意味である。
【００１１】
モータのケース構造を通るモータの全周囲の冷却は、電気モータの固定子を冷却するためにとても効果的な方法である。しかしながら、モータハウジングセクションの頂部がこの目的のために使用されることができないなら、支持セクションへのモータハウジングセクションの接続のための強度に関して最適デザインで配置することは困難である。支持セクションへのモータハウジング接続のための強度に関する最適なデザインは、支持セクションがモータハウジングセクションの全体の長さに厳密に接続されるようなものである。これは、支持部がモータハウジングセクションの頂部に直接溶接されるならば、配置されることができる。しかしながら、この場合には、水は、モータハウジングセクションの全周囲を流れることができず、結果として、電気モータの冷却は、モータハウジングセクションの頂部までのホットスポットが低減される。
【００１２】
この問題は、例えば、第１の実施形態のケースであるように、モータハウジングセクションの頂部部分と接触する液体で満たされた密閉液体タンクの形状で密閉液体冷却システムを有する支持セクションを備えることによって解決できる。代わりに、又は、加えて、この問題は、第２、第３、第４、第５及び第６実施形態の場合であるように、モータハウジングセクションの頂部部分と接触して流れる冷却液が充填される密閉液体循環冷却システムを使用することによって解決できる。この配置は、モータハウジングセクション上に開口を有する又はモータハウジングセクション及び支持セクションの間に開口を有する他の配置と比較して、強度に関して優れている。このデザインは、強度に関して最適化されたデザインにより、最終的な推進ユニットのより小さな外部寸法及び重量を提供することができる。
【００１３】
本発明は、以下の図面を参照することで、より詳細に説明される。
【図面の簡単な説明】
【００１４】
【図１】図１は、第１の実施形態に係る推進ユニット設備を示す。
【図２】図２は、図１に示される推進ユニット設備の作動原理を示す。
【図３】図３は、図１及び図２においてＸ−Ｘ断面での代替形態を示す。
【図４】図４は、図１及び図２においてＸ−Ｘ断面での代替形態を示す。
【図５】図５は、図１及び図２においてＸ−Ｘ断面での代替形態を示す。
【図６】図６は、第２の実施形態に係る推進ユニット設備を示す。
【図７】図７は、図６に示される推進ユニット設備の作動原理を示す。
【図８】図８は、図６及び図７においてＸ−Ｘ断面での代替形態を示す。
【図９】図９は、図６及び図７においてＸ−Ｘ断面での代替形態を示す。
【図１０】図１０は、図６及び図７においてＸ−Ｘ断面での代替形態を示す。
【図１１】図１１は、図６及び図７においてＸ−Ｘ断面での代替形態を示す。
【図１２】図１２は、第３の実施形態に係る推進ユニット設備を示す。
【図１３】図１３は、図１２に示される推進ユニット設備の作動原理を示す。
【図１４】図１４は、図１２及び図１３においてＸ−Ｘ断面での代替形態を示す。
【図１５】図１５は、図１２及び図１３においてＸ−Ｘ断面での代替形態を示す。
【図１６】図１６は、図１２及び図１３においてＸ−Ｘ断面での代替形態を示す。
【図１７】図１７は、図１２及び図１３においてＸ−Ｘ断面での代替形態を示す。
【図１８】図１８は、第４の実施形態に係る推進ユニット設備を示す。
【図１９】図１９は、図１８に示される推進ユニット設備の作動原理を示す。
【図２０】図２０は、図１８及び図１９においてＸ−Ｘ断面での代替形態を示す。
【図２１】図２１は、図１８及び図１９においてＸ−Ｘ断面での代替形態を示す。
【図２２】図２２は、図１８及び図１９においてＸ−Ｘ断面での代替形態を示す。
【図２３】図２３は、図１８及び図１９においてＸ−Ｘ断面での代替形態を示す。
【図２４】図２４は、第５の実施形態に係る推進ユニット設備を示す。
【図２５】図２５は、図２４に示される推進ユニット設備の作動原理を示す。
【図２６】図２６は、図２４及び図２５においてＸ−Ｘ断面での代替形態を示す。
【図２７】図２７は、図２４及び図２５においてＸ−Ｘ断面での代替形態を示す。
【図２８】図２８は、図２４及び図２５においてＸ−Ｘ断面での代替形態を示す。
【図２９】図２９は、図２４及び図２５においてＸ−Ｘ断面での代替形態を示す。
【図３０】図３０は、第６の実施形態に係る推進ユニット設備を示す。
【図３１】図３１は、図３０に示される推進ユニット設備の作動原理を示す。
【図３２】図３２は、図３０に示される推進ユニット設備の側面図である。
【図３３】図３３は、図３０及び図３１においてＸ−Ｘ断面での代替形態を示す。
【図３４】図３４は、図３０及び図３１においてＸ−Ｘ断面での代替形態を示す。
【図３５】図３５は、図３０及び図３１においてＸ−Ｘ断面での代替形態を示す。
【図３６】図３６は、図３０及び図３１においてＸ−Ｘ断面での代替形態を示す。
【発明を実施するための形態】
【００１５】
以下に、船の推進ユニット及び幾つかの好ましい実施形態及び船の推進ユニットの変形例を、詳細に記述する。
【００１６】
推進ユニット（参照符号は付しておらず）は、船（参照符号は付しておらず）の船体２の下方に配置されるとともに、水中に少なくとも部分的に浸水可能なシェル構造１を備え、それにより、シェル構造１が、少なくとも部分的に水によって囲まれる。
【００１７】
推進ユニットは、シェル構造１の外側にプロペラ２３を回転するための電気モータ３を備える。電気モータ３は、固定子４及び固定子４内で回転する回転子５を有する。図において、プロペラシャフト２４は、回転子５が固定子４内で回転するときに、回転子５と共に回転するために、回転子５に接続される。図において、プロペラシャフト２４は、ベアリング設備２５によってシェル構造に回転可能に配置される。図において、プロペラ２３は、プロペラシャフト２４に取り付けられる。
【００１８】
電気モータ３は、電気モータ３の固定子４がシェル構造１のモータハウジングセクション６の円筒状セクション７の中に形状が適合するように、シェル構造１のモータハウジングセクション６に配置される。
【００１９】
円筒状セクション７は、円筒状外面８を有している。
【００２０】
シェル構造１は、シェル構造１のモータハウジングセクション６に接続される下端及び船の船体２に接続される上端を有する支持セクション２６を含む。支持セクション２６の上端は、船の船体２に関して推進ユニットが回転するための回転設備（不図示）によって船の船体２に接続される。
【００２１】
推進ユニットは、液体１１を含む内部空間１０を有する密閉液体冷却システム９を備えている。
【００２２】
密閉液体冷却システム９の内部空間１０は、密閉液体冷却システム９の液体１１が、推進ユニットのシェル構造のモータハウジングセクション６の円筒状外壁７を介して、モータハウジングセクション６の円筒状セクション７に配置される電気モータ３及び密閉液体冷却システム９の内部空間１０の液体の間で熱エネルギーを交換するため、直接的にモータハウジングセクション６の円筒状セクション７の円筒状外面８と接触するように、モータハウジングセクション６の円筒状セクション７の円筒状外面８によって部分的に限定される。
【００２３】
密閉液体冷却システム９の内部空間１０は、密閉液体冷却システム９の内部空間１０の液体が、密閉液体冷却システム９の内部空間１０の液体及び推進ユニットのシェル構造１を介した推進ユニットを囲む水の間で熱エネルギーを交換するため、推進ユニットのシェル構造１と直接的に接触するように、さらに、推進ユニットのシェル構造１によって部分的に限定される。
【００２４】
密閉液体冷却システム９は、図１乃至図５に示される推進ユニットの第１の実施形態のように、液体を含む前記内部空間１０を形成する密閉液体タンク１２の形状である。
【００２５】
推進ユニットのそのような実施形態において、密閉液体タンク１２の内部空間１０は、密閉液体タンクの内部空間１０の液体が、電気モータ３及び密閉液体タンク１２の液体１１の間のモータハウジングセクション６の円筒状セクション７の円筒状外面８の一部１３を介して、モータハウジングセクション６の円筒状セクション７に配置される電気モータ３及び密閉液体タンク１２の内部空間１０の液体の間で熱エネルギーを交換するため、モータハウジングセクション６の円筒状セクション７の円筒状外面８の前記一部と直接的に接触するように、部分的に、モータハウジングセクション６の円筒状セクション７の円筒状外面８の前記一部１３によって限定される。
【００２６】
推進ユニットのそのような実施形態において、密閉液体タンク１２の内部空間１０は、密閉液体タンク１２の内部空間１０の液体が、シェル構造１を介して、密閉液体タンク１２の内部空間１０の水及び推進ユニットを囲む水の間で熱エネルギーを交換するため、シェル構造１と直接接触するように、さらに、部分的に、推進ユニットのシェル構造１によって限定される。
【００２７】
密閉液体タンク１２は、密閉液体タンクの液体を循環するための循環手段（不図示）を備えていてもよい。
【００２８】
密閉液体タンク１２の内部空間１０は、密閉液体タンク１２の内部空間１０の液体及びシェル構造１の支持構造の間に熱交換要素となるバッフル（不図示）を備えていてもよい。
【００２９】
図３に示されるように、密閉液体タンク１２は、密閉液体タンク１２の液体及び推進ユニットを囲う水の間の熱エネルギーの移動が増加するために、密閉液体タンク１２の中に、密閉液体タンク１２の液体１１及び推進ユニットのシェル構造１の間の熱交換要素となる、シェル構造１の支持セクション２６から延びる突出する熱交換要素２２を備えていてもよい。
【００３０】
密閉液体冷却システム９は、図６乃至図１１で説明される第２の実施形態の推進ユニット、図１２乃至図１７で説明される第３の実施形態の推進ユニット、図１８乃至図２３で説明される第４の実施形態の推進ユニット、及び、図２４乃至図２９で説明される第５の実施形態の推進ユニットのように、液体１１を含む前記内部空間１０を有する密閉液体循環冷却システム１４の形状であり、そして、密閉液体循環冷却システム１４の内部空間１０の液体を循環するための液体循環手段１５を備えていてもよい。
【００３１】
推進ユニットのこのような実施形態において、密閉液体循環冷却システム１４の内部空間１０は、密閉液体循環冷却システム１４の内部空間１０に流れる液体が、電気モータ３及び密閉液体循環冷却システム１４の内部空間１０に循環する液体の間のモータハウジングセクション６の円筒状セクション７の前記一部１３を介して、モータハウジング６の円筒状セクション７に配置される電気モータ３及び密閉液体循環冷却システム１４の内部空間１０を流れる液体の間で熱エネルギーを交換するため、モータハウジングセクション６の円筒状セクション７の円筒状外面８の前記一部１３と直接的に接触するように、モータハウジングセクション６の円筒状セクション７の円筒状外面８の一部１３によって、部分的に限定される。
【００３２】
推進ユニットのそのような実施形態において、密閉液体循環冷却システム１４の内部空間１０は、密閉液体循環冷却システム１４の内部空間１０を流れる液体が、シェル構造１の支持セクション２６を介して、密閉液体循環冷却システム１４の内部空間１０を流れる液体及びシェル構造１の支持セクション２６を囲う水の間で熱エネルギーを交換するため、シェル構造１の支持セクション２６と直接的に接触するように、推進ユニットのシェル構造１の支持セクション２６によって、さらに、部分的に限定される。
【００３３】
密閉液体冷却システム９が、密閉液体循環冷却システム１４の内部空間１０の液体を循環するための液体循環手段１５を備える密閉液体循環冷却システム１４の形状であるなら、密閉液体循環冷却システム１４の内部空間１０を部分的に限定するモータハウジングセクション６の円筒状セクション７の円筒状外面８の前記一部１３は、必須ではないが、好ましくは、モータハウジングセクション６の円筒状セクション７の円筒状外面８の前記一部に沿って、液体用の複数の個々のチャンネルを形成するパーティション要素１６を備える。
【００３４】
図１２乃至図１７に説明される第３の実施形態の推進ユニット、及び、図２４乃至図２９に説明される第５の実施形態の推進ユニットのように、密閉液体冷却システム９が、液体１１を含む前記内部空間１０を有する密閉液体循環冷却システム１４の形状であり、且つ、密閉液体循環冷却システム１４の内部空間１０の液体を循環する液体循環手段１５を備えるなら、密閉液体循環冷却システム１４は、密閉液体循環冷却システムの内部空間１０がモータハウジングセクション６の円筒状外面８の円筒状セクション７の前記一部１３によって部分的に限定される密閉液体循環冷却システム１４のある点で、第１液体タンク１７を備えていてもよい。
【００３５】
そのような第１液体タンク１７は、密閉液体循環冷却システム１４の内部空間１０の一部を形成する第１内部空間（参照符号を付していない）を有する。
【００３６】
そのような第１液体タンク１７は、密閉液体循環冷却システム１４に流れる液体が第１液体タンク１７の第１内部空間を通って流れるように、密閉液体循環冷却システム１４と流体的に連絡する。
【００３７】
第１液体タンク１７の第１内部空間は、第１液体タンク１７の第１内部空間の液体が、モータハウジング６の円筒状外面８の前記一部１３を介して、モータハウジングセクション６の円筒状セクション７に配置される電気モータ３及び第１液体タンク１７の第１内部空間を流れる液体の間で熱エネルギーを交換するため、モータハウジングセクション６の円筒状セクション７の円筒状外面８と直接接触するように、モータハウジングセクション６の円筒状セクション７の円筒状外面８の前記一部１３によって部分的に限定される。
【００３８】
そのような第１液体タンク１７は、第１液体タンク１７の第１内部空間の液体が、シェル構造１の支持構造２６を介して、密閉液体循環冷却システム１４の第１液体タンク１７の第１内部空間を流れる液体及びシェル構造１の支持構造２６を囲う水の間で熱エネルギーを交換するため、シェル構造１の支持構造２６と直接的に接触するように、さらに、シェル構造１の支持構造２６によって部分的に限定される。
【００３９】
そのような第１液体タンク１７の第１内部空間は、第１液体タンク１７の第１内部空間の液体の滞留時間を延長するために、及び／又は、第１液体タンク１７の第１内部空間を通って流れる液体及びシェル構造１の支持構造２６の間で熱交換要素となる、第１液体タンク１７の第１内部空間を通って液体を案内するためのバッフル１８を備えていてもよい。
【００４０】
図１５及び図２６に示すように、そのような第１液体タンクは、モータハウジングセクション６の電気モータ３及び第１液体タンク１７の液体の間の熱エネルギーの移動が増加するために、第１液体タンク１７内に、第１液体タンク１７を通って流れる液体及び推進ユニットのシェル構造１の間の熱交換要素となる、シェル構造１から延びる突出する熱交換要素２２を備えていてもよい。
【００４１】
密閉液体冷却システム９が、液体を含む前記内部空間を有する密閉液体循環冷却システム１４の形状であり、密閉液体循環冷却システム１４の内部空間１０の液体を循環する液体循環手段１５を備えるなら、図１８乃至図２３で説明される第４の実施形態の推進ユニット、及び、図２４乃至図２９で説明される第５の実施形態の推進ユニットのように、密閉液体循環冷却システム１４は、第２液体タンク１９がシェル構造１の支持セクション２６の前記一部によって部分的に限定されるよう、密閉液体循環冷却システムが推進ユニットのシェル構造１の支持セクション２６によって部分的に限定される密閉液体循環冷却システムのある点で第２液体タンク１９を備えていてもよい。
【００４２】
第２液体タンク１９は、密閉液体循環冷却システム１４の内部空間１０の一部を形成する、第２内部空間（参照符号を付していない）を有する。
【００４３】
第２液体タンク１９は、密閉液体循環冷却システム１４を流れる液体が第２液体タンク１９の第２内部空間を通って流れるように、密閉液体循環冷却システム１４と流体的に連絡する。
【００４４】
そのような第２液体タンク１９は、第２液体タンク１９の第２内部空間の液体が、シェル構造１の支持セクション２６を介して、密閉液体循環冷却システム１４の第２液体タンク１９の第２内部空間を流れる液体及びシェル構造１の支持セクション２６を囲う水の間で熱エネルギーを交換するため、シェル構造１の支持セクション２６と直接的に接触するように、シェル構造１の支持セクション２６によって部分的に限定される。
【００４５】
そのような第２液体タンク１９の第２内部空間は、第２液体タンク１９の第２内部空間の液体の滞留時間を延長するために、及び／又は、第２液体タンク１９の第２内部空間を通って流れる液体及びシェル構造１の支持構造２６の間で熱交換要素となる、第２液体タンク１９の第２内部空間を通る液体を案内するためのバッフル１８を備えていてもよい。
【００４６】
そのような第２液体タンク１９は、シェル構造１の支持構造２６を囲う水及び密閉液体冷却システム９の液体の間の熱エネルギーの移動が増加するため、第２液体タンク１９の中に、第２液体タンク１９を通って流れる液体及び推進ユニットのシェル構造１の前記一部の間で熱交換要素となる、シェル構造１の支持構造２６から延びる突出した熱交換要素（不図示）を備えていてもよい。
【００４７】
推進ユニットにおいて、図に示される実施形態の場合であるように、シェル構造１の支持セクション２６の下端は、推進ユニットのシェル構造１のモータハウジングセクション６の円筒状セクション７の円筒状外面８が、推進ユニットの最外面を部分的に形成するように、シェル構造１のモータハウジングセクション６に接続される。図４、図９、図１５、図２１及び図２６に示される実施形態の場合であるように、推進ユニットの最外面を形成するモータハウジングセクション６の円筒状セクション７の円筒状外面８のそのような一部は、モータハウジングセクション６の電気モータ３及び推進ユニットの最外面を形成するモータハウジングセクション６の円筒状セクション７の一部を囲う水の間の熱エネルギーの移動が増加するための突出する熱交換要素２０を備えていてもよい。
【００４８】
推進ユニットにおけるシェル構造１の支持セクション２６は、幾つかの実施形態のように、シェル構造を囲う水がキャビティ２５に入り、且つ、キャビティ２５を出ることを可能とするように、シェル構造１を囲う水と流体的に連絡するキャビティ２５を備えていてもよい。そのような実施形態は、図３０乃至図３６に示される。そのような実施形態において、密閉液体循環冷却システム１４は、チューブセクション２９を備えており、これは、密閉液体循環冷却システム１４の内部空間がチューブセクション２９によって部分的に限定されるためである。そのような実施形態において、チューブセクション２９は、チューブセクション２９の外面がキャビティ２５においてシェル構造１を囲う水と直接的に接触するように、キャビティ２５に配置される。チューブセクション２９は、密閉液体循環冷却システム１４の内部空間１０の液体及びシェル構造を囲う水の間で熱エネルギーを交換するための液体−液体熱交換器の一部であり、液体−液体熱交換器は、キャビティ２５に配置される。シェル構造の支持セクションが、シェル構造１を囲う水がキャビティ２５に入り、且つ、キャビティ２５を出ることを可能とするための、シェル構造１を囲う水と流体的に連絡するキャビティ２５を備えるなら、図３２に示されるように、キャビティ２５は、シェル構造１の一部を形成する少なくとも一つのカバー２７によって少なくとも一部が密閉される。そのようなカバー２７は、シェル構造１を囲う水がキャビティ２５に入り、且つ、キャビティ２５から出ることを可能とするために、少なくとも一つの開口２８を備えてもよい。
【００４９】
推進ユニットにおいて、モータハウジングセクション６の円筒状セクション７は、必須ではないが、好ましくは、図面に示される実施形態の場合であるように、シングルレイヤー構造である。
【００５０】
推進ユニットにおいて、密閉液体冷却システム９の液体と接触するモータハウジングセクション６の円筒状セクション７の円筒状外面８の一部は、必須ではないが、好ましくは、図３、図４、図９、図１１、図１５、図１７、図２１、図２３、図２６及び図２８に示されるように、モータハウジングセクション６の電気モータ３及び第２液体タンクの液体の間の熱エネルギーの移動が増加するために、突出する熱交換要素２１を備えている。
【００５１】
推進ユニットにおいて、密閉液体冷却システム９は、必須ではないが、好ましくは、図面に示されるように、推進ユニットのシェル構造１によって完全に囲われて配置される。
【００５２】
推進ユニットにおいて、電気モータ３は、必須ではないが、好ましくは、永久磁石電気モータ３である。
【００５３】
技術進歩により、発明の基本概念が種々の方法によって実施されることができることは、当業者にとって明白である。この発明及びそれら実施形態は、従って、上述した例に限定されず、それらは、請求の範囲内において変更してもよい。
【図１】
2015016857.tif 000003
【図２】
2015016857.tif 000004
【図３】
2015016857.tif 000005
【図４】
2015016857.tif 000006
【図５】
2015016857.tif 000007
【図６】
2015016857.tif 000008
【図７】
2015016857.tif 000009
【図８】
2015016857.tif 000010
【図９】
2015016857.tif 000011
【図１０】
2015016857.tif 000012
【図１１】
2015016857.tif 000013
【図１２】
2015016857.tif 000014
【図１３】
2015016857.tif 000015
【図１４】
2015016857.tif 000016
【図１５】
2015016857.tif 000017
【図１６】
2015016857.tif 000018
【図１７】
2015016857.tif 000019
【図１８】
2015016857.tif 000020
【図１９】
2015016857.tif 000021
【図２０】
2015016857.tif 000022
【図２１】
2015016857.tif 000023
【図２２】
2015016857.tif 000024
【図２３】
2015016857.tif 000025
【図２４】
2015016857.tif 000026
【図２５】
2015016857.tif 000027
【図２６】
2015016857.tif 000028
【図２７】
2015016857.tif 000029
【図２８】
2015016857.tif 000030
【図２９】
2015016857.tif 000031
【図３０】
2015016857.tif 000032
【図３１】
2015016857.tif 000033
【図３２】
2015016857.tif 000034
【図３３】
2015016857.tif 000035
【図３４】
2015016857.tif 000036
【図３５】
2015016857.tif 000037
【図３６】
2015016857.tif 000038
【外国語明細書】
2015016857000001.pdf